(57)【要約】【課題】目標物との距離値を測定することで動作を生成し、鼻汁吸引器が所定距離内にあると自動的に駆動することで、鼻汁吸引の効果を達成し、操作上のミスをなくす感知式鼻汁吸引器を提供する。【解決手段】本考案は、距離測定手段と、マイクロプロセッサと、吸気ポンプとを備える。距離測定手段は目標物との距離値を測定するのに用いる。マイクロプロセッサは、所定距離値を記憶し、且つ前記距離測定手段が伝送した前記距離値の信号を受信して処理するとともに、前記距離値が前記所定距離値を超えていない時、動作命令を送出するのに用いる。吸気ポンプは、前記動作命令信号を受取るとともに前記動作命令信号に基づいて目標動作を実行するのに用いる。【選択図】図２
0003210390.tif 000002
【実用新案登録請求の範囲】
【請求項１】
目標物との距離値を測定するための距離測定手段と、
所定距離値を記憶し、且つ前記距離測定手段が伝送した前記距離値の信号を受信して処理するとともに、前記距離値が前記所定距離値を超えていない時、動作命令を送出するためのマイクロプロセッサと、
前記動作命令信号を受取るとともに前記動作命令信号に基づいて目標動作を実行するための吸気ポンプと、を備える、感知式鼻汁吸引器。
【請求項２】
前記感知式鼻汁吸引器の電力の始動を制御するためのスイッチ手段を更に備える、請求項１に記載の感知式鼻汁吸引器。
【請求項３】
前記スイッチ手段が押しボタンスイッチである、請求項２に記載の感知式鼻汁吸引器。
【請求項４】
前記距離測定手段が赤外線センサ又は超音波センサである、請求項１に記載の感知式鼻汁吸引器。
【請求項５】
前記感知式鼻汁吸引器の電力及び吸引強弱標示を表示するための表示手段を更に備える、請求項１に記載の感知式鼻汁吸引器。
【請求項６】
前記吸気ポンプにより前記目標動作を実行した後、前記マイクロプロセッサが前記距離値を受取り、前記距離値が前記所定距離値を超えた時、前記吸気ポンプに停止命令信号を送出して、前記目標動作を停止する、請求項１に記載の感知式鼻汁吸引器。
【請求項７】
前記マイクロプロセッサが、前記距離値と前記所定距離値との間の差の絶対値が所定距離範囲を超えていないか否かを演算して判定することで、前記距離測定手段が前記距離値を引き続き測定するか、又は前記マイクロプロセッサにより前記動作命令を前記吸気ポンプに送出して前記目標動作を実行するかを決定するための所定距離範囲を更に含む、請求項１に記載の感知式鼻汁吸引器。
【考案の詳細な説明】
【技術分野】
【０００１】
本考案は鼻汁吸引器に関し、とりわけ感知式鼻汁吸引器に関する。
【背景技術】
【０００２】
自立した生活のできない乳幼児や、介護が必要な疾病患者にとって、鼻汁を自分で処理できる能力を持たず、鼻汁が鼻腔内に滞って呼吸困難を招くことがある。よって、鼻汁を吸い出す装置により、この問題を解決することができる。既存の鼻汁吸引器は、以前からの手動式鼻汁吸引器から電動式鼻汁吸引器にまで進化しており、その考案改良はいずれも鼻汁吸引器が、鼻腔内の鼻汁を連続的に素早く吸い出すということに重点を置いている。
【０００３】
図１を参照されたい。これは従来の鼻汁吸引器１Ａの構成概略図である。鼻汁吸引器１Ａは主に吸引ヘッド２Ａと、スイッチボタン３とを備える。鼻汁吸引器１Ａを対象者の鼻腔Ｎに使用するとき、まず吸引ヘッド２Ａを鼻腔Ｎに入れて、更に握りハウジングに設けられているスイッチボタン３を押下して鼻汁を吸い出す。
【０００４】
しかしながら、上記した従来の鼻汁吸引器１Ａを用いてクリーニングする場合、スイッチボタン３はハウジング上に設けられているため、使用者がスイッチボタン３を探すのに手間取り、スイッチボタン３を操作するタイミングを把握しづらく、しかも使用者が鼻汁吸引器１Ａを鼻腔Ｎに位置合せた後にスイッチボタン３を指で押さなければならず、吸引ヘッド２Ａが揺れて鼻腔Ｎからずれてしまいやすい。また、鼻汁吸引器１Ａは使用し終えた後には、スイッチボタン３を再度押さなければならず、操作上でもかなり不便であった。このため、従来の鼻汁吸引器１Ａには改善の余地があった。
【０００５】
これに鑑み、考案者は関連製品の製造開発及び設計に長年携わってきた経験から、上記した目標につき、設計及び慎重な評価を行った後に、間違いなく実用性を備えた本考案に到達した。
【０００６】
よって、操作の安定性を保持できることで、操作上の難度を低減して、使用上の使いやすさを増進した鼻汁吸引器をどのように提供するかということは、重要な課題の一つとなっている。
【考案の概要】
【考案が解決しようとする課題】
【０００７】
本考案の目的は、目標物との距離値を測定することで動作を生成し、鼻汁吸引器が所定距離内にあると自動的に駆動することで、鼻汁吸引の効果を達成し、操作上のミスをなくす感知式鼻汁吸引器を提供するところにある。
【課題を解決するための手段】
【０００８】
上記目的を達成するために、本考案では、目標物との距離値を測定するための距離測定手段と、前記所定距離値を記憶し、且つ前記距離測定手段が伝送した前記距離値の信号を受信して処理するとともに、前記距離値が前記所定距離値を超えていない時、動作命令を送出するためのマイクロプロセッサと、前記動作命令信号を受取るとともに前記動作命令信号に基づいて目標動作を実行するための吸気ポンプと、を備える感知式鼻汁吸引器を提供する。 
【０００９】
好ましくは、本考案は、前記感知式鼻汁吸引器の電力の始動を制御するためのスイッチ手段を更に備える。
【００１０】
好ましくは、前記距離測定手段が赤外線センサ又は超音波センサである。
【００１１】
好ましくは、本考案は、前記感知式鼻汁吸引器の電力及び吸引強弱標示を表示するための表示手段を更に備える。
【００１２】
好ましくは、前記吸気ポンプにより前記目標動作を実行した後、前記マイクロプロセッサが前記距離値を受取り、前記距離値が前記所定距離値を超えた時、前記吸気ポンプに停止命令信号を送出して、前記目標動作を停止する。
【００１３】
好ましくは、前記マイクロプロセッサが、前記距離値と前記所定距離値との間の差の絶対値が所定距離範囲を超えていないか否かを演算して判定することで、前記距離測定手段が前記距離値を引き続き測定するか、又は前記マイクロプロセッサにより前記動作命令を前記吸気ポンプに送出して前記目標動作を実行するかを決定するための所定距離範囲を更に含む。
【００１４】
本考案の目的を達成する感知式鼻汁吸引器及びその方法は、測定距離値が所定距離値に達した後に目標動作の生成を開始して（例えば：吸気）、鼻汁吸引器が所定距離にあると自動的に駆動されて、使用者はより手早く且つ正確に鼻汁吸引器を操作することができ、操作の利便性を向上し、操作時の不確定性及び誤差を低減する。
【００１５】
本考案の上記目的又は特徴は、添付する図面により更に詳細に説明するが、明確にしておくべきは、図面及び例示は、単に説明用に過ぎず本考案を限定又は縮減するものではないということである。
【図面の簡単な説明】
【００１６】
【図１】従来の鼻汁吸引器の概略図である。
【図２】本考案の感知式鼻汁吸引器のブロック図である。
【図３】本考案の感知式鼻汁吸引器の使用概略図である。
【図４】本考案の感知式鼻汁吸引器のフローチャートである。
【図５】本考案の感知式鼻汁吸引器の他の実施例のフローチャートである。
【考案を実施するための形態】
【００１７】
審査官及び当業者が本考案の効果を完全に理解されるように、ここでは図面及び図面符号を合せて、本考案の好ましい実施例を以下の通り説明する。
【００１８】
図２及び図３を参照されたい。図２は従来の鼻汁吸引器１を示すブロック図であり、図３は本考案の感知式鼻汁吸引器１の使用概略図である。図２に示すように、本考案の感知式鼻汁吸引器１は、目標物との距離値を測定するための距離測定手段１０と、所定距離値ｄを記憶し、且つ前記距離測定手段１０が伝送した前記距離値の信号を受信して処理するとともに、前記距離値が前記所定距離値ｄを超えていない時（図３に示す）、動作命令を送出するためのマイクロプロセッサ３０と、前記動作命令信号を受取るとともに前記動作命令信号に基づいて目標動作を実行するための吸気ポンプ２０と、を備える。感知式鼻汁吸引器１は、前記感知式鼻汁吸引器１の電力及び吸引強弱標示を表示するための表示手段４０を更に備える。
【００１９】
本考案は、前記感知式鼻汁吸引器１の電力の始動を制御するためのスイッチ手段５０を更に備える。このうち、前記スイッチ手段５０は押しボタンスイッチとすることができる。
【００２０】
本実施例において、前記距離測定手段１０は距離値を測定するための赤外線センサ又は超音波センサである。
【００２１】
本考案の感知式鼻汁吸引器１の使用概略図である図３を合せて参照されたい。本考案の感知式鼻汁吸引器１は使用時にて、まず前記感知式鼻汁吸引器１の吸引ヘッド２を使用したい目標物に位置合わせするが、本実施例においては、前記目標物は使用者の鼻腔Ｎであり、そして距離値が予め設定された所定距離値ｄになるまで、前記感知式鼻汁吸引器１の距離測定手段１０が使用者の鼻腔Ｎとの距離値を常に測定するように、前記感知式鼻汁吸引器１を前後移動させて、前記マイクロプロセッサ３０により動作命令信号を前記吸気ポンプ２０に送出する。前記吸気ポンプは動作命令信号を受取るとともに前記動作命令信号に基づいて目標動作を実行するのに用いる。このうち、前記目標動作は、吸気ポンプ２０が吸引ヘッド２に合せて鼻汁を吸引するために吸気するような吸気とすることができる。
【００２２】
本考案の感知式鼻汁吸引器１の手順フローチャートである図４を参照されたい。図４に示すように、手順１０１にて、感知式鼻汁吸引器１の電源をオンにする。手順１０２にて、まず所定距離値ｄをマイクロプロセッサ３０に設定する。手順１０３にて、前記距離測定手段１０により前記目標物に対して距離の測定を行うとともに、目標物までの距離を測定した距離値を前記マイクロプロセッサ３０に送出する。手順１０４にて、前記マイクロプロセッサ３０が前記距離測定手段１０にて測定した距離値を受取るとともに、前記距離測定手段１０にて測定した距離値が前記所定距離値ｄに達しているか否かを判定し、もし達していれば手順１０５を実行し、もし達していなければ、手順１０３に戻って前記目標物に対して距離値の測定を繰り返す。手順１０５にて、前記マイクロプロセッサ３０は動作命令信号を前記吸気ポンプ２０に送出する。手順１０６にて、前記吸気ポンプ２０を始動して前記目標物に対して鼻腔Ｎのクリーニング動作（鼻汁吸引）を行う。
【００２３】
本考案の感知式鼻汁吸引器１の使用概略図である図５を合せて参照されたい。図５に示すように、手順２０１にて、感知式鼻汁吸引器１の電源をオンにする。手順２０２にて、まず所定距離値ｄをマイクロプロセッサ３０に設定する。手順２０３にて、所定距離範囲Ｓをマイクロプロセッサ３０に記憶する。手順２０４にて、前記距離測定手段１０により前記目標物に対して距離の測定を行うとともに、目標物までの距離を測定した距離値を前記マイクロプロセッサ３０に送出する。手順２０５にて、前記マイクロプロセッサ３０が前記距離測定手段１０にて測定した目標物までの距離値を受取るとともに、前記距離測定手段１０にて測定した距離値と前記所定距離値ｄとの間の差の絶対値が前記所定距離範囲Ｓを超えていないか否かを演算して判定し、もし超えていなければ手順２０６を実行し、前記マイクロプロセッサ３０が動作命令信号を送出する。もし超えていれば、手順２０４に戻って前記目標物に対して距離の測定を繰り返し行って距離値を取得する。手順２０６にて、前記マイクロプロセッサ３０は動作命令信号に前記吸気ポンプ２０に送出する。手順２０７にて、前記吸気ポンプ２０を始動して目標動作を実行する、つまり吸気ポンプ２０に対して吸気を行うとともに吸引ヘッド２により前記目標物に対して鼻汁吸引のクリーニング動作を行う。手順２０８にて、吸気ポンプ２０をオフして動作を終了する。
【００２４】
また、本実施例において、例えば前記吸気ポンプ２０により前記目標動作を実行した後、前記マイクロプロセッサ３０が前記距離値を受取り、前記所定距離値ｄを超えた時（つまり両者の距離値の差が前記所定距離範囲Ｓを超えた）、前記吸気ポンプ２０に停止命令信号を送出して、前記目標動作を停止する。
【００２５】
本考案の感知式鼻汁吸引器によれば、使用者はより手早く且つ正確に鼻汁吸引器を使用することができ、操作の利便性を向上し、操作時の不確定性及び誤差を低減する。
【００２６】
本考案の好ましい実施例を詳細に説明した後、当業者であれば、別紙の実用新案登録請求の範囲及び技術思想から離れない下で各種変化及び変更を行うことができることを明確に理解することができ、且つ本考案は明細書中にて挙げる実施例の実施形態に限定されるものではない。
【符号の説明】
【００２７】
１ 感知式鼻汁吸引器
１Ａ 鼻汁吸引器
２、２Ａ吸引ヘッド
３ スイッチボタン
１０ 距離測定手段
２０ 吸気ポンプ
３０ マイクロプロセッサ
４０ 表示手段
５０ スイッチ手段
１０１〜１０６、２０１〜２０８ 手順
Ｎ 鼻腔
ｄ 所定距離値
Ｓ 所定距離範囲
【図１】
0003210390.tif 000003
【図２】
0003210390.tif 000004
【図３】
0003210390.tif 000005
【図４】
0003210390.tif 000006
【図５】
0003210390.tif 000007